(57)【要約】      （修正有）【課題】フレキシブルフラットケーブル及びケーブルに適用されるワイヤコンバータを提供する。【解決手段】ワイヤコンバータは、上蓋体と、下蓋体と、留め具１６及び電極１８を備える。フレキシブルフラットケーブル２が第１の接続端により上蓋体に設けられ、且つ第２の接続端によってケーブル４を設置できる。下蓋体は上蓋体と接合して、フレキシブルフラットケーブルとケーブルを収容空間に挟持する。留め具は、リミットブロックを有する座体１６２を提供して、フリップカバー１６４に接続される。電極シートがフレキシブルフラットケーブルに電気的に接触され、及び電極クリップがケーブルに電気的に接続されるために、電極が留め具に設置される。上蓋体と下蓋体とを接合して留め具及び電極を覆うことで、フレキシブルフラットケーブル及びケーブルを電気的に接続する。【選択図】図４
0003227750.tif 000002
【実用新案登録請求の範囲】
【請求項１】
フレキシブルフラットケーブル及びケーブルに適用されるワイヤコンバータであって、
前記フレキシブルフラットケーブルが設けられた第１の接続端と、前記ケーブルが設けられた第３の接続端とを有する上蓋体と、
第２の接続端及び第４の接続端を有し、前記上蓋体と接合して収容空間を形成する下蓋体と、
座体と、フリップカバー及びリミットブロックを有し、前記収容空間に設けられる留め具と、
電極シートと、接合部材及び電極クリップを有し、前記留め具に設けられる電極と、
を備え、
前記上蓋体には上の挟持構造が形成され、
前記第２の接続端は前記第１の接続端に対応し、前記第４の接続端は前記第３の接続端に対応し、前記下蓋体には、前記上の挟持構造に対応する下の挟持構造が形成されて、前記フレキシブルフラットケーブルと前記ケーブルを前記収容空間に挟持し、
前記座体には前記リミットブロックが形成され、前記フリップカバーに接続され、前記リミットブロックは、前記フレキシブルフラットケーブルを前記座体に制限し、前記フリップカバーは、前記フレキシブルフラットケーブルを覆い、
前記接合部材は前記電極シートと前記電極クリップとの間に位置し、前記電極シートは前記フレキシブルフラットケーブルに電気的に接触し、前記電極クリップは前記ケーブルに電気的に接続し、
前記フレキシブルフラットケーブルと前記ケーブルを電気的に接続するように、前記上蓋体と前記下蓋体とを接合して前記留め具及び前記電極を覆うことを特徴とするワイヤコンバータ。
【請求項２】
前記留め具には、第１の開孔又は第１の位置決め柱が形成されることを特徴とする請求項１に記載のワイヤコンバータ。
【請求項３】
下蓋体には、更に第２の位置決め柱又は第２の開孔が形成され、
前記留め具が前記下蓋体に位置決めされるために、前記第２の位置決め柱は前記第１の開孔に対応して設置され、又は前記第２の開孔は前記第１の位置決め柱に対応して設置されることを特徴とする請求項２に記載のワイヤコンバータ。
【請求項４】
接合部材には、第３の開孔が形成され、
前記第３の開孔は、前記第２の位置決め柱により前記留め具に位置決めされることを特徴とする請求項３に記載のワイヤコンバータ。
【請求項５】
前記上蓋体の周縁には、更に第１のロック構造が形成され、
前記下蓋体の周縁には、更に第２のロック構造が形成され、
前記上蓋体と前記下蓋体とをロックするために、前記第２のロック構造は前記第１のロック構造に対応して設置されることを特徴とする請求項１に記載のワイヤコンバータ。
【請求項６】
前記第１のロック構造と前記第２のロック構造はそれぞれ、係合ブロックと係合孔であることを特徴とする請求項５に記載のワイヤコンバータ。
【請求項７】
前記留め具を前記収容空間に制限するために、前記上蓋体の内縁には制限溝が形成されることを特徴とする請求項１に記載のワイヤコンバータ。
【請求項８】
前記上蓋体と前記下蓋体とは、接続部材を介して接続されることを特徴とする請求項１に記載のワイヤコンバータ。
【請求項９】
前記接合部材は、更にストッパーを含み、
前記上蓋体には、突起を有する破孔が形成され、
前記ストッパーは前記破孔と結合して、前記電極を前記留め具に固定することを特徴とする請求項１に記載のワイヤコンバータ。
【請求項１０】
外部が前記収容空間の少なくとも一部に連通されることを遮断するために、前記上蓋体と前記下蓋体の少なくとも一方に設けられた保護部材を更に備えることを特徴とする請求項１に記載のワイヤコンバータ。
【考案の詳細な説明】
【技術分野】
【０００１】
本考案は、コネクタの技術分野に関わり、特にケーブル及びフレキシブルフラットケーブルに適用されるワイヤコンバータに関するものである。
【背景技術】
【０００２】
一般的に、コネクタの接続方式は、ｐｌａｔｅ−ｔｏ−ｐｌａｔｅの接続又はｗｉｒｅ−ｔｏ−ｐｌａｔｅの接続にすぎない、例えばケーブルとフレキシブルフラットケーブルなどの異なるワイヤである場合、回路基板を介して変換する必要がある。
【考案の概要】
【考案が解決しようとする課題】
【０００３】
自動車やその他の技術分野において、スペースが限られているため、限られたスペースに回路基板を別途設置することができず、異なるワイヤ間を直接接続する必要があり、且つ接続が揺れや他の要因で外れないように確保する必要もある。
【０００４】
以上の問題に対して、本考案は、従来の技術における欠陥を解決するためのワイヤコンバータを提供する。
【課題を解決するための手段】
【０００５】
本考案の第一の目的は、フレキシブルフラットケーブル及びケーブルに適用され、フレキシブルフラットケーブルとケーブルの間で変換できるワイヤコンバータを提供する。
【０００６】
前記ワイヤコンバータにより、本考案の第二の目的は、フレキシブルフラットケーブルとケーブルを係合した留め具を保護するための上蓋体及び下蓋体を提供する。
【０００７】
前記ワイヤコンバータにより、本考案の第三の目的は、フレキシブルフラットケーブルとケーブルを挟持するために、上蓋体及び下蓋体がそれぞれ挟持構造を提供する。
【０００８】
前記ワイヤコンバータにより、本考案の第四の目的は、挟持構造が上下に屈曲した構造であり、当該構造は挟持強度を高めることができる。
【０００９】
前記ワイヤコンバータにより、本考案の第五の目的は、留め具を上蓋体と下蓋体との間に強固するために、上蓋体及び/又は下蓋体が、例えば溝体と、位置決め柱と、開孔などの構造を提供する。
【００１０】
前記ワイヤコンバータにより、本考案の第六の目的は、留め具の座体と、フリップカバー及びリミットブロックによってフレキシブルフラットケーブルを留め具に固定する。
【００１１】
前記ワイヤコンバータにより、本考案の第七の目的は、電極のストッパー及び留め具の破孔によって電極を留め具に固定する。
【００１２】
前記ワイヤコンバータにより、本考案の第八の目的は、上蓋体と下蓋体にはそれぞれロック構造が形成され、互いのロックによって上蓋体と下蓋体を強固する。
【００１３】
前記ワイヤコンバータにより、本考案の第九の目的は、接合強度及び結合精度を高めるために、上蓋体の一方の側縁と下蓋体の一方の側縁とが互いに接続される。
【００１４】
前記ワイヤコンバータにより、本考案の第十の目的は、ワイヤコンバータに防水、防塵などの効果を持たせるために、上蓋体と下蓋体に形成された収容空間の周縁に保護部材を設置する。
【００１５】
以上の目的及び他の目的を達成するために、本考案は、フレキシブルフラットケーブル及びケーブルに適用されるワイヤコンバータを提供する。前記ワイヤコンバータは、上蓋体と、下蓋体と、留め具及び電極を備える。前記上蓋体は、第１の接続端及び第３の接続端を有する。前記第１の接続端には前記フレキシブルフラットケーブルが設けられ、前記第３の接続端には前記ケーブルが設けられる。前記上蓋体には上の挟持構造が形成される。前記下蓋体は前記上蓋体と接合して収容空間を形成する。前記下蓋体は、第２の接続端及び第４の接続端を有する。前記第２の接続端は前記第１の接続端に対応し、前記第４の接続端は前記第３の接続端に対応する。前記下蓋体には、前記上の挟持構造に対応する下の挟持構造が形成されて、前記フレキシブルフラットケーブルと前記ケーブルを前記収容空間に挟持する。前記留め具は前記収容空間に設けられる。前記留め具は、座体と、フリップカバー及びリミットブロックを有する。前記座体には前記リミットブロックが形成され、前記フリップカバーに接続される。前記リミットブロックは、前記フレキシブルフラットケーブルを前記座体に制限することができ、前記フリップカバーは、前記フレキシブルフラットケーブルを覆うことができる。前記電極は、前記留め具に設けられる。前記電極は、電極シートと、接合部材及び電極クリップを有する。前記接合部材は前記電極シートと前記電極クリップとの間に位置し、前記電極シートは前記フレキシブルフラットケーブルに電気的に接触でき、前記電極クリップは前記ケーブルに電気的に接続することができる。また、前記フレキシブルフラットケーブルと前記ケーブルを電気的に接続できるように、前記上蓋体と前記下蓋体を接合して前記留め具及び前記電極を覆う。
【００１６】
従来の技術と比較して、本考案のワイヤコンバータは、上蓋体と下蓋体の組み合わせたワイヤボックス及び留め具を提供し、留め具によってフレキシブルフラットケーブルとケーブルを予め接続し、留め具をワイヤボックスに係合することで、異なるワイヤを変換できるだけでなく、ワイヤボックスを介して保護することもできる。
【図面の簡単な説明】
【００１７】
【図１】図１は本考案の実施例にかかるワイヤコンバータの構造を示す斜視図である。
【図２】図２は本考案の図１にかかる上蓋体を説明するための図である。
【図３】図３は本考案の図１にかかる下蓋体を説明するための図である。
【図４】図４は本考案の図１にかかる留め具と電極がフレキシブルフラットケーブル及びケーブルに接合された構造を説明するための図である。
【図５】図５は本考案の図１にかかる下蓋体が留め具に接合された接合状態を説明するための図である。
【図６】図６は本考案の図１にかかる電極の構造を説明するための図である。
【図７】図７は本考案の図１にかかるワイヤコンバータを説明するための断面図である。
【考案を実施するための形態】
【００１８】
本考案の目的、特徴及び効果を十分に理解するために、後述の実施例及び図面に基づいて、本考案を説明する。
【００１９】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００２０】
本考案において、「含む」、「備える」、「有する」の用語又は他の類似用語は、非排他的なものをカバーすることを意図している。例えば、複数の要素を含むデバイス、構造、製品又は装置は、本明細書に記載された要素だけに限定されず。
【００２１】
図１は本考案の実施例にかかるワイヤコンバータの構造を示す斜視図である。図１において、ワイヤコンバータ１０はフレキシブルフラットケーブル２及びケーブル４に適用され、フレキシブルフラットケーブル２及びケーブル４は図４を参照してもよい。図４は、本考案の図１にかかる留め具の上面図および底面図である。
【００２２】
図１において、ワイヤコンバータ１０は、上蓋体１２と、下蓋体１４と、留め具１６及び電極１８を備え、上蓋体１２及び下蓋体１４は、留め具１６と電極１８を含むため、詳しい構造は後述の説明を参照する。
【００２３】
図２は本考案の図１にかかる上蓋体を説明するための図である。図２において、上蓋体１２は、第１の接続端１２２及び第３の接続端１２４を有する。第１の接続端１２２にはフレキシブルフラットケーブル２が設けられ、第３の接続端１２４にはケーブル４が設けられる。なお、上蓋体１２の内縁には、ケーブル４の例えば円柱の外形に合う溝又は突起が形成され、内縁に形成された溝又は突起によってケーブル４をしっかりと挟持することができる。更に、上蓋体１２には上の挟持構造１２２２が形成され、本実施例では、上の挟持構造１２２２は不規則な形状で構成されてもよい。図７は本考案の図１にかかるワイヤコンバータを説明するための断面図である。本実施例では、上蓋体１２の周縁には、更に第１のロック構造１２６が形成され、ここで、第１のロック構造１２６は係止孔を例に説明する。また、本実施例では、上蓋体１２の内縁には制限溝１２８が形成されて、後述の留め具１６を収容空間ＳＰに制限する。
【００２４】
図３は本考案の図１にかかる下蓋体を説明するための図である。図３では、下蓋体１４は上蓋体１２と接合して収容空間ＳＰを形成する。下蓋体１４は、第２の接続端１４２及び第４の接続端１４４を有する。第２の接続端１４２は第１の接続端１２２に対応し、第４の接続端１４４は第３の接続端１２４に対応する。本実施例では、下蓋体１４は上蓋体１２と接合した後、第１の接続端１２２と第２の接続端１４２が開口を形成して、フレキシブルフラットケーブル２を設置し延在することができる。また、第３の接続端１２４と第４の接続端１４４が開口を形成して、ケーブル４を設置し延在することができる。下蓋体１４には、上の挟持構造１２２２に対応する下の挟持構造１４２２が形成されて、フレキシブルフラットケーブル２とケーブル４を収容空間に挟持する。図７の断面図を参照して分かったのは、下の挟持構造１４２２及び上の挟持構造１２２２によってフレキシブルフラットケーブル２をよりしっかりと結合させ、且つ不規則な形状のため、挟持の力が単一方向の外力により破壊されることがなく、下の挟持構造１４２２と上の挟持構造１２２２は異なる方向の挟持力を生成して、挟持の力を高める。また、本実施例では、下蓋体１４の内縁には更に四つの位置決め柱１４６を提供する。なお、後述の留め具１６をスムーズに収容空間ＳＰに案内して設置するために、更に合わせられた突起又はリブなどを提供してもよい。本実施例では、下蓋体１４の周縁には更に第２のロック構造１４８が形成され、例えば、第２のロック構造１４８は係合ブロックの形態であってもよい。上蓋体１２と下蓋体１４をロックするために、第２のロック構造１４８は第１のロック構造１２６に対応して設置される。さらに、本実施例では、上蓋体１２と下蓋体１４は接続部材２０を介して接続されることができる。
【００２５】
図４は本考案の図１にかかる留め具と電極がフレキシブルフラットケーブル及びケーブルに接合された構造を説明するための図である。図４の上図は留め具の上面図であり、図４の下図は留め具の底面図である。図４において、留め具１６は、前述の上蓋体１２と下蓋体１４とが接合された後に生成する収容空間ＳＰに設けられる。留め具１６は、座体１６２と、フリップカバー１６４及びリミットブロック１６６を有する。座体１６２にはリミットブロック１６６が形成されて、両側辺にギャップを有するフレキシブルフラットケーブル４をリミットブロック１６６に係合でき、リミットブロック１６６はフレキシブルフラットケーブル２を座体１６２に制限することができる。また、フリップカバー１６４は座体１６２に接続され、外力（図示せず）を加えることで、フリップカバー１６４を開閉させることができる。開モードにおいて、フレキシブルフラットケーブル４は座体１６２とフリップカバー１６４との間に覆われ、フレキシブルフラットケーブル４が座体１６２とフリップカバー１６４の挟持により制限される。閉モードにおいて、フレキシブルフラットケーブル４は、フリップカバー１６４とリミットブロック１６６に制限されることなく、座体１６２から取り外すことができる。本実施例では、図４の底面図において、さらに四つの開孔１６８を提供し、別の実施例では、開孔１６８の数は四つに限定されなくてもよい。開孔１６８の数及び位置は、前述の下蓋体１４の位置決め柱１４６に対応することができ、その結果、留め具１６が下蓋体１４の収容空間ＳＰに設けられた場合、ブラインド挿入ができるほか、挿入後に容易に移動しないように固定を保持することもできる。図５は本考案の図１にかかる下蓋体が留め具に接合された接合状態を説明するための図である。図５において分かったのは、フリップカバー１６４、リミットブロック１６６、下の挟持構造１４２２、上の挟持構造１２２２、開孔１６８及び位置決め柱１４６などによって、フレキシブルフラットケーブル４を収容空間ＳＰに確実に制限することができる。
【００２６】
別の実施例において、留め具１６の開孔１６８の形態と下蓋体１４の位置決め柱１４６の形態とを入れ替えてもよい。即ち、留め具１６は位置決め柱の形態であってもよい、下蓋体１４は開孔の形態であってもよい。
【００２７】
図６は本考案の図１にかかる電極の構造を説明するための図である。図６において、電極１８は図４のように留め具１６に設けられる。電極１８は、電極シート１８２と、接合部材１８４及び電極クリップ１８６を有する。接合部材１８４は、電極シート１８２と電極クリップ１８６との間に位置する。図７を参照して、電極シート１８２はフレキシブルフラットケーブル２に電気的に接触でき、電極クリップ１８６はケーブル４に電気的に接続することができる。本実施例では、電極１８は、更にストッパー１８８及び開孔１８１０を有してもよい。ストッパー１８８は上蓋体１２と結合して、突起を有する破孔１６１０を形成することができ、ストッパー１８８と突起との干渉によって電極１８を留め具１６に固定する。別の実施例では、破孔１６１０の突起を移動することで、電極１８を留め具１６から取り外す。また、開孔１８１０は位置決め柱１４６により留め具１６に位置決めすることができる。
【００２８】
フレキシブルフラットケーブル２とケーブル４を電気的に接続できるように、上蓋体１２と下蓋体１４を接合して留め具１６及び電極１８を覆う。
【００２９】
別の実施例において、収容空間ＳＰに外部の湿気又は外部の埃の侵入を防ぐ効果を形成させるために、上蓋体１２の内縁と下蓋体１４の内縁の少なくとも一方に保護部材（図示せず）を設置することができる。例えば、保護部材は、Ｏリングや防水リングなどの収容空間ＳＰの少なくとも一部がワイヤコンバータ１０の外部に連通することを遮断するための部材であってもよい。例えば、上蓋体１２の内縁と下蓋体１４の内縁の平坦部に互いが対応の防水リングを設置し、上蓋体１２と下蓋体１４との接合により、収容空間ＳＰが外部の連通を遮断することができ、ひいては例えば湿気が収容空間ＳＰに侵入できない、防水の効果を得る。別の実施例において、上蓋体１２の内縁と下蓋体１４の内縁は、更に溝やリブを形成することで、保護部材を設置し又は保護部材と互いに作用して、より優れた隔離効果を達成する。
【００３０】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００３１】
２…フレキシブルフラットケーブル
４…ケーブル
１０…ワイヤコンバータ
１２…上蓋体
１２２…第１の接続端
１２２２…上の挟持構造
１２４…第３の接続端
１２６…第１のロック構造
１２８…制限溝
１４…下蓋体
１４２…第２の接続端
１４２２…下の挟持構造
１４４…第４の接続端
１４６…位置決め柱
１４８…第２のロック構造
１６…留め具
１６２…座体
１６４…フリップカバー
１６６…リミットブロック
１６８…開孔
１６１０…破孔
１８…電極
１８２…電極シート
１８４…接合部材
１８６…電極クリップ
１８８…ストッパー
１８１０…破孔
ＳＰ…収容空間
【図１】
0003227750.tif 000003
【図２】
0003227750.tif 000004
【図３】
0003227750.tif 000005
【図４】
0003227750.tif 000006
【図５】
0003227750.tif 000007
【図６】
0003227750.tif 000008
【図７】
0003227750.tif 000009